(57)【要約】      （修正有）【課題】安全で使い勝手がよく、皮膚への薬液の浸潤と血流の促進が図れる経皮薬液浸潤、血流促進、及び細胞活性装置を提供する。【解決手段】本体部１と、外部へ延長されるプローブ２とを備え、皮膚に振動に加え、近赤外光と赤色可視光による照射を行なう経皮薬液浸潤、血流促進、及び細胞活性装置であって、プローブには、振動モータ８が内蔵され、先端には皮膚に接触し、近赤外光と赤色可視光を通す樹脂製のキャップ１０が設けられ、本体部には、振動モータ駆動回路と、近赤外光の光源を駆動する近赤外光駆動回路と、赤色可視光の光源を駆動する赤色可視光駆動回路と、が設けられ、本体部の操作部により、振動モータの回転数と、振動モータの間断の周期と、近赤外光及び赤色可視光の照射強度と、が設定可能である。【選択図】図１
0003229657.tif 000002
【実用新案登録請求の範囲】
【請求項１】
本体部と、外部へ延長されるプローブとを備え、皮膚に振動を加え、近赤外光と赤色可視光による照射を行なう経皮薬液浸潤、血流促進、及び細胞活性装置であって、
前記プローブには、振動モータが内蔵され、先端には皮膚に接触し、前記近赤外光と前記赤色可視光を通す樹脂製のキャップが設けられ、
前記本体部には、振動モータ駆動回路と、前記近赤外光の光源を駆動する近赤外光駆動回路と、前記赤色可視光の光源を駆動する赤色可視光駆動回路と、が設けられ、
前記本体部の操作部により、前記振動モータの回転数と、前記振動モータの間断の周期と、前記近赤外光及び前記赤色可視光の照射強度と、が設定可能であることを特徴とする経皮薬液浸潤、血流促進、及び細胞活性装置。
【請求項２】
前記キャップは、材質がＰＦＡ又はＦＥＰのフッ素樹脂からなることを特徴とする請求項１に記載の経皮薬液浸潤、血流促進、及び細胞活性装置。
【請求項３】
前記プローブに超音波振動子が設けられ、前記本体部に超音波振動子駆動回路が設けられ、超音波振動子は、可聴音の領域を含む２ｋ〜２００ｋＨｚの範囲で選択された振動数で駆動されることを特徴とする請求項１に記載の経皮薬液浸潤、血流促進、及び細胞活性装置。
【請求項４】
本体部と、外部へ延長されるプローブとを備え、皮膚に振動に加え、近赤外光と赤色可視光による照射を行なう経皮薬液浸潤、血流促進、及び細胞活性装置であって、
前記プローブには、先端に皮膚に接触し、前記近赤外光と前記赤色可視光を通す樹脂製のキャップが設けられ、
前記キャップの周囲には、複数の超音波振動子が装着され、
前記本体部には、可聴音の領域を含む２ｋ〜２００ｋＨｚの範囲の中から選択される振動数を発生することが可能な超音波振動子駆動回路と、前記近赤外光の光源を駆動する近赤外光駆動回路と、前記赤色可視光の光源を駆動する赤色可視光駆動回路と、が設けられ、
前記本体部の操作部により、前記超音波の周波数と、前記近赤外光及び前記赤色可視光の照射強度と、が設定可能であることを特徴とする経皮薬液浸潤、血流促進、及び細胞活性装置。
【考案の詳細な説明】
【技術分野】
【０００１】
本考案は、経皮薬液浸潤（ＴＤＤ：Ｔｒａｎｓｄｅｒｍａｌ  Ｄｒｕｇ  Ｄｅｌｉｖｅｒ）、血流促進、及び細胞活性装置に関し、より詳しくは、皮膚に近赤外光を照射すると共に振動や刺激を加え、化粧品等の薬液を皮膚から良好に浸潤させることができる経皮薬液浸潤、血流促進、及び細胞活性装置に関する。経皮とは、「皮膚からの」もしくは「皮膚を通して」の意味である。
【背景技術】
【０００２】
薬液を皮膚に浸潤させるには、多様な方法があり、代表的なものは（１）パッチ（粘着性経皮デリバリーシステム）、（２）粘着テープ（接着剤を含む）、（３）圧力駆動型ジェット、（４）イオン導入（イオンフォレイシス）、（５）マイクロニードル、（６）熱支援マイクロポレーション（レーザー）、（７）エレクトロポレーション、（８）超音波（ソノフォレイシス）、（９）光、（１０）振動、などが知られる。しかしながら、（１）の場合は、使用可能な薬液の種類が少ない。低分子、親油性（ナノ粒子を除く）がその条件となる。（２）〜（６）は身体を傷つけることがあり、（７）の機序は、皮膚（細胞）の持つ電荷をエレクトロポレーションにより逆転させ薬液を浸潤させるものであるが、逆転している時間が非常に短く、使い勝手が良いとはいえない。（８）は、キャビテーション効果と熱効果により、角質層に微視的欠陥を作成するという機序であり有効な手段であるが、エネルギーが高いので使用には注意を要する。（９）と（１０）の場合は、（１）〜（８）に比べその効果は落ちるが、安全性が高い。また、身体（細胞）は、刺激が強すぎても弱すぎても効果が出ないという二相性の反応が発現することが通常で、適度な強度が重要である。しかしながら、現存する機器で（９）と（１０）を同時に実施でき、かつ強さを自由に設定できる機器がなく、製品化が望まれる。
【０００３】
皮膚の血流を向上させるには、［ａ］薬品（血行促進剤による）、［ｂ］運動、［ｃ］温熱、［ｄ］振動、が知られる。しかしながら、薬品には副作用があり、運動はできない人もいる。薬品と運動に比べ、温熱と振動は効果が落ちるが、だれでも実施可能である。温熱をもたらすものとしては、（ａ）温熱効果としての光、（ｂ）ラジオ波、（ｃ）超音波が知られている。（ｂ）は、たんぱく質を損傷させる可能性があり、（ｃ）は、有効な手段であるが、エネルギーが高いので使用には注意を要する。（ａ）は、具体的には近赤外光を使用することが望ましい。なお、［ｄ］振動に於いては、その効果を高めるために間断（ｉｎｔｅｒｍｉｔｔｅｎｔ）があることが望ましい。これは、静脈のポンプ機構に関与させる意図がある。
【０００４】
細胞を活性させるには、（１）ストレスを避ける事、（２）栄養摂取、（３）摂取した栄養を細胞にいきわたらせる事、（４）十分な睡眠、（５）運動、（６）薬品、（７）近赤外光、（８）温熱等が知られる。本考案の対象は以下の内容となる。（１）のストレスを避ける事は、本人の問題であるため対象外とする。（２）の栄養摂取は、本人の問題であるため対象外とする。（３）の摂取した栄養を細胞にいきわたらせる事は、血流促進が一助となるため、対象とする。（４）の十分な睡眠は、本人の問題であるため対象外とする。また、薬品には副作用があり、運動はできない人もいる。１）〜６）に比べ、近赤外光と温熱は効果が落ちるが、だれでも実施可能である。温熱をもたらすものとしては、上記のように（ａ）光、（ｂ）ラジオ波、（ｃ）超音波が知られる。（ａ）は、具体的には近赤外光を使用することが望ましい。近赤外光の効能については、例えば、血管内皮細胞のｅＮＯＳ（一酸化窒素合成酵素）の生産が促進され、血管が拡張され血流が良くなるとされる。
【０００５】
本考案では、誰でも使用出来る安全なものとするため、近赤外光、振動、超音波（使用制限付与）を採用する。従って、作用機序は以下の通りとなる。
［経皮薬液浸潤］・・・超音波（キャビテーションと熱効果として）、振動、近赤外光（熱効果として）
［血流促進装置］・・・振動、近赤外光（熱効果として）、超音波（熱効果として）［細胞活性］・・・近赤外光（光として）、近赤外光（熱効果として）
【０００６】
図１２に水とヘモグロビンの吸光係数を示す。図１２に示すように、近赤外光は皮膚組織に深く浸透できる。水とヘモグロビンは、光学的窓と呼ぶ７００〜１３００ｎｍの近赤外光に対しては吸収が少ない。つまり近赤外光は、皮膚に含まれる水や血管中のヘモグロビンに邪魔されず皮膚組織への浸透がよい。例えば波長９４５ｎｍの近赤外光は、目には見えないので、赤色可視光（例として波長６６５ｎｍ）を合わせて使用することが望まれる。
【０００７】
特許文献１には、赤色可視光と、黄色可視光と、近赤外光を照射する美容装置が示される。これによれば、皮膚の細胞の活性化でき、赤色可視光と黄色可視光は心理的な美容効果があるとしている。
【先行技術文献】
【特許文献】
【０００８】
【特許文献１】特開２０１１−４１７０６号公報
【考案の概要】
【考案が解決しようとする課題】
【０００９】
本考案の目的は、皮膚を傷つけることがなく、安全で使い勝手がよく、だれにでも使用でき、皮膚への薬液の浸潤と血流の促進が図れる経皮薬液浸潤、血流促進、及び細胞活性装置を提供することにある。
【課題を解決するための手段】
【００１０】
本考案による請求項１に記載の経皮薬液浸潤、血流促進、及び細胞活性装置は、本体部と、外部へ延長されるプローブとを備え、皮膚に振動に加え、近赤外光と赤色可視光による照射を行なう経皮薬液浸潤、血流促進、及び細胞活性装置であって、前記プローブには、振動モータが内蔵され、先端には皮膚に接触し、前記近赤外光と前記赤色可視光を通す樹脂製のキャップが設けられ、前記本体部には、振動モータ駆動回路と、前記近赤外光の光源を駆動する近赤外光駆動回路と、前記赤色可視光の光源を駆動する赤色可視光駆動回路と、が設けられ、前記本体部の操作部により、前記振動モータの回転数と、前記振動モータの間断の周期と、前記近赤外光及び前記赤色可視光の照射強度と、が設定可能であることを特徴とする。
【００１１】
前記キャップは、材質がＰＦＡ又はＦＥＰのフッ素樹脂からなることを特徴とする。
【００１２】
前記プローブに超音波振動子が設けられ、本体部に超音波振動子駆動回路が設けられ、超音波振動子は、２ｋ〜２００ｋＨｚの範囲の選択された振動数で駆動されることを特徴とする。
【００１３】
本考案による請求項４に記載の経皮薬液浸潤、血流促進、及び細胞活性装置は、本体部と、外部へ延長されるプローブとを備え、皮膚に振動を加え、近赤外光と赤色可視光による照射を行なう経皮薬液浸潤、血流促進、及び細胞活性装置であって、前記プローブには、先端に皮膚に接触し、前記近赤外光と前記赤色可視光を通す樹脂製のキャップが設けられ、前記キャップの周囲には、複数の超音波振動子が装着され、前記本体部には、可聴音の領域を含む２ｋ〜２００ｋＨｚの範囲で選択される振動数を発生することが可能な超音波振動子駆動回路と、前記近赤外光の光源を駆動する近赤外光駆動回路と、前記赤色可視光の光源を駆動する赤色可視光駆動回路と、が設けられ、前記本体部の操作部により、前記超音波の周波数と、前記近赤外光及び前記赤色可視光の照射強度と、が設定可能であることを特徴とする。
【考案の効果】
【００１４】
本考案による請求項１に記載の経皮薬液浸潤、血流促進、及び細胞活性装置によれば、
（１）近赤外光の刺激と振動モータによる振動を皮膚に同時に与えるので、皮膚の細胞を活性化でき、薬液の浸潤と血流の促進を図ることができる。近赤外光は、皮膚に含まれる水分と血液に殆ど吸収されない波長域なので、真皮まで確実に到達でき、細胞賦活作用、筋緊張抑制作用と消炎鎮痛も期待できる。赤色可視光は、明るい暖色なので、見えない近赤外光をあたかも見えるがごとく確認でき、視覚的なプラセボ効果を得ることができる。
（２）振動モータによる振動は、皮膚に対し適度な刺激にできる。振動モータの回転数は一般に１．５ｋ〜１２ｋｒｐｍで、１回転で１刺激（押圧）として１秒間当たりにすると２５〜２００Ｈｚである。
（３）照射強度と、振動の強度と、間断の周期と、を設定できるので、使用する人の感覚に合わせて、適度な刺激を選択できる。
【００１５】
キャップにフッ素樹脂を使用したので、光源の発するエネルギーを損なわずに照射できる。汗などにも強い。また、５年以上の耐久性があり、滑走性に優れる。
【００１６】
プローブに超音波振動子を設け、本体部に超音波振動子駆動回路を設け、可聴音の領域を含む２ｋ〜２００ｋＨｚの範囲の選択された振動数で刺激を与えるので、振動モータの振動効果に加えて、薬液の浸潤と血流の促進のさらなる向上を図ることができる。
【００１７】
本考案による請求項４に記載の経皮薬液浸潤、血流促進、及び細胞活性装置によれば、
（１）近赤外光の刺激（光と熱）と、超音波による刺激（キャビテーションと熱）を皮膚に同時に与えることが可能なので、皮膚の細胞を活性化でき、薬液の浸潤と血流の促進を図ることができる。
（２）超音波による刺激は、皮膚に対し適度な範囲に設定できる。可聴音の領域を含む２ｋ〜２００ｋＨｚの範囲で振動させ、キャビテーションと熱による経皮薬液浸潤効果と、熱による血流促進効果を皮膚に与えることができる。
（３）照射強度と、振動数と、を設定できるので、使用する人の感覚に合わせて、適度な刺激を選択できる。
【図面の簡単な説明】
【００１８】
【図１】本考案による経皮薬液浸潤、血流促進、及び細胞活性装置の構成図で、光源をプローブ側に設けた例である。
【図２】本考案による経皮薬液浸潤、血流促進、及び細胞活性装置の構成図で、光源を本体部側に設けた例である。
【図３】本体部の操作部の詳細を示す図である。
【図４】図２のアダプタ部の構成を示す図である。
【図５】制御部のフローチャートを示す図である。
【図６】運転モード（ｍ１〜ｍ４）の詳細を示す表である。
【図７】プローブの写真である。
【図８】振動モータの斜視図（Ａ）と、駆動回路（Ｂ）を示す図である。
【図９】光源と駆動回路を示す図である。
【図１０】超音波振動子と駆動回路を示す図である。
【図１１】超音波振動子のプローブへの実装を示す図である。
【図１２】近赤外光の光学的窓を説明するグラフである。
【考案を実施するための形態】
【００１９】
以下、図面を参照して、本考案の経皮薬液浸潤、血流促進、及び細胞活性装置を説明する。
【実施例】
【００２０】
図１は、本考案による経皮薬液浸潤、血流促進、及び細胞活性装置１００の構成図で、光源１２をプローブ２側に設けた例である。経皮薬液浸潤、血流促進、及び細胞活性装置１００は、本体部１とプローブ２からなる。本体部１には、ＡＣ１００Ｖの電源がＡＣアダプタ３で直流に変換して給電される。本体部１は、操作部４、制御部５、表示部６、アダプタ部７を備える。本体部１は箱型で、操作部４と表示部６は、本体部１の表面に設けている。本体部１をプローブ２側に収納する構成としてもよい。プローブ２は円筒状のもので、一端に近赤外光と赤色可視光を照射するキャップ１０を有し、他端にスタートストップスイッチ１１を有し、内部に振動モータ８を有し、近赤外光と赤色可視光の光源１２を内蔵している。本体部１とプローブ２の間は、インターフェースコード９で接続される。アダプタ部７には、近赤外光と赤色可視光の駆動回路が実装され、プローブ２側には、光源１２のみが実装される。
【００２１】
制御部５は、プロセッサを有しプログラム制御され、無線通信機能も備える。Ｗｉ−Ｆｉの無線ＬＡＮを備えており、最寄りのアクセスポイントとインターネットを経由してサーバーやＰＣ（パーソナルコンピュータ）に接続できる。また、シムカード（携帯電話の加入者を特定するＩＤ番号が記録されたカード）を備えており、携帯電話会社を経由してサーバーやＰＣに接続できる。例として、サーバーをカスタマーセンターに設置し、経皮薬液浸潤、血流促進、及び細胞活性装置１００の運転情報を読み取り、レンタル料の算出と請求などの業務を行なうことができる。サーバーへ送信する運転情報には、（ａ）利用者の氏名、（ｂ）使用日時、（ｂ）運転モード、（ｃ）運転時間、（ｄ）機器の稼働状況（正常稼働・故障・故障個所）などがある。無線通信機能を使用して、携帯電話から操作部の操作を可能とすることもできる。
【００２２】
本体部１には課金端末（図示せず）が接続される。課金端末に使用料金が表示されるので、利用者が携帯電話をかざすと、課金端末はインターネット経由で決済運営会社にアクセスし、決済がＯＫかどうか確認できる。決済がＯＫで決済が完了したなら、課金端末は、本体部１に運転操作の許可信号を出す。本体部１は、運転操作の許可信号を受けると、待機状態にある電源をオンする。決済がＮＧの場合、例えば現金での支払いが完了すれば、人手によって本体部１の操作部４で操作を行なう。
【００２３】
図２は、本考案による経皮薬液浸潤、血流促進、及び細胞活性装置１００の構成図で、光源１２を本体部１側に設けた例である。キャップ１０の後側に設けた円錐型の反射筒には、本体部１から光ファイバーで近赤外光と赤色可視光の光が送り込まれる。他の構成は、図１と同じなので、詳細な説明は省略する。
【００２４】
図３は、本体部１の操作部４の詳細を示す図である。電源投入スイッチ１３を一方の側に倒すことで電源の投入を行なう。他方に倒せば電源が切断となる。操作部４のモード選択ボタン４ａは、モードｍ１〜ｍ４を選択する。１回押下する毎に変化し、何度も押下すればｍ１⇒ｍ２⇒ｍ３⇒ｍ４⇒ｍ１・・・と循環する。ｍ１は、振動モータ８の回転数を設定するモードで、ｍ２は、振動モータの振動の間断の周期を設定するモードで、ｍ３は、近赤外光と赤色可視光の照射強度を設定するモードで、ｍ４は、超音波振動子の振動数を設定するモードである。ｍ１〜ｍ４を選択して、そのモードの強度を選択する。
【００２５】
スタートストップスイッチ４ｂは、運転の開始を指示するスイッチで、これと同じスイッチはプローブ２側にスタートストップスイッチ１１があり、操作性を向上させている。スタートストップスイッチ４ｂを押下すると、プローブ２のキャップ１０から近赤外光と赤色可視光が照射され、プローブ２が振動する。再度押下すると、近赤外光と赤色可視光の照射が停止され、振動も停止する。
【００２６】
強度アップボタン４ｃと強度ダウンボタン４ｄは、モード選択ボタン４ａで、モードｍ１〜ｍ４の１つを表示部６に表示させると、強度の範囲が表示されるので、その範囲の中で数値をアップし、又はダウンして所望の値にする。タイマーアップボタン４ｅとタイマーダウンボタン４ｆは、運転時間の設定で、１分〜４０分の範囲で設定できる。
【００２７】
図４は、図２のアダプタ部７の構成を示す図である。アダプタ部７は、プローブ２とのインターフェース回路を備える。操作部４と表示部６のインターフェース回路は図示を省略する。アダプタ部７には、振動モータ駆動回路１６、近赤外光駆動回路１７、近赤外光のＬＥＤからなる光源１２ａ、赤色可視光駆動回路１８、赤色可視光のＬＥＤからなる光源１２ｂ、プローブ側のスタートストップスイッチの受信回路１９、超音波振動子駆動回路２０を備える。光源１２ａと光源１２ｂからの光は光ファイバー２２でプローブ２に送られる。図１の構成では光ファイバー２２がなく、光源１２ａと光源１２ｂがプローブ２側にあるので、近赤外光駆動回路１７と赤色可視光駆動回路１８からの出力である制御信号がプローブ２に送られる。
【００２８】
図５は、制御部５のフローチャートを示す図である。Ｓ１の電源投入後、Ｓ２に示すようにあらかじめ運転タイマーの時間と運転モードを設定しておく。Ｓ３の「スタート押下か？」は、図１、２のスタートストップスイッチ１１又は図３の操作部のスタートストップスイッチ４ｂが押下されたかの判定である。運転が開始されると、あらかじめ設定された強度で運転が行われる。運転は、運転タイマーの時間に到達するか、プローブ側のスタートストップスイッチ１１、又は操作部４のスタートストップスイッチ４ｂが押下されるまで続けられる。
【００２９】
図６は、モード（ｍ１〜ｍ４）の詳細を示す表である。モードは、強度の設定項目に付与した番号であり、この番号を選択すると、表示部６に設定可能な範囲の数値Ａと、設定すべき数値Ｂが表示される。強度アップボタン４ｃと強度ダウンボタン４ｄを使用して、設定すべき数値Ｂを確定する。ｍ１の振動モータ８の回転数は、例として１．５ｋ〜１５ｋｒｐｍの範囲で設定できる。ｍ２の振動モータ８の間断の周期は、（運転の時間、停止の時間）とすると（０．４秒、０．４秒）、（１秒、０．４秒）、（２秒、１秒）などと設定できる。ｍ３の近赤外光と赤色可視光の強度は、照射強度を小〜大の範囲で設定できる。ｍ４の超音波振動子の振動数は、２ｋＨｚ〜２００ｋＨｚの範囲で設定できる。任意の値には、設定できないので、複数の振動数を示し、選択させるものとする。このように、振動モータ８の回転数、間断の周期、光源の照射強度等を独立して設定できるので、その人に合った刺激の強度が設定できる。
【００３０】
図７は、プローブ２の写真である。プローブ２には４種類を設けた。プローブ２がどのタイプかの信号をコード９に送り出すので、本体部１はコネクタ１５の信号を見て、どのプローブが接続されたかを判定する機能が搭載されている。プローブの大きさにより内蔵されるＬＥＤの個数が異なるため、並列数及び１並列（直列）配線中のＬＥＤの個数に合った電流を流す必要があるため、この判定機能が必要である。プローブの先端のキャップ１０は、四フッ化エチレン・パーフルオロアルコキシエチレン共重合樹脂（ＰＦＡ）又は四フッ化エチレン・六フッ化プロピレン共重合樹脂（ＦＥＰ）のフッ素樹脂を使用した。また、接触する人体部分の形状に合わせた丸型の形状なので、滑らかな使用感を得ることができる。フッ素樹脂は光の透過性がよく、光源の発するエネルギーを損なわず人体に与えることができ耐久性もあり、滑走性に優れている。プローブ２の下端の突出部分が、スタートストップスイッチ１１である。目標の回転数となるようＰＩＤ制御（比例動作：Ｐ動作、積分動作：積分動作、微分動作：Ｄ動作）を行なって、ＰＷＭで信号を送る。
【００３１】
図８は、振動モータ８の斜視図と、振動モータ駆動回路１６を示す図である。振動モータ８は、回転軸に偏心錘が取り付けられたモータで、ブラシ付きＤＣモータ又はブラシレスＤＣモータが使用できる。図８の（Ａ）は、ブラシ付きＤＣモータの例である。回転数は、例として１．５ｋ〜１２ｋｒｐｍが可能である。図８の（Ｂ）に示すように、振動モータ８の周囲に４つのスイッチＳＷ１〜ＳＷ４を設けて切り替える。ＳＷ１とＳＷ４をオンして通電すると正転で、ＳＷ３とＳＷ２をオンして通電すると逆転になる。ＳＷ１〜ＳＷ４をオンするとブレーキになる。振動モータはＰＩＤ制御を行なって、所定の回転数となるようにＰＷＭ信号の矩形波を送る。ＰＷＭはｐｕｌｓｅ  ｗｉｄｔｈ  ｍｏｄｕｌａｔｉｏｎの略で、パルス波のデューティ比を変化させて変調する。ブラシレスモータは、ベクトル制御を行なう。
【００３２】
図９は、光源１２と駆動回路を示す図である。光源１２には発光ダイオード（ＬＥＤ）を使用することができる。このような回路は、近赤外光駆動回路１７でも、赤色可視光駆動回路１８でも同じである。近赤外光ＬＥＤの波長は、光学的窓の範囲にある例えば９４５ｎｍを選択できる。ＬＥＤはＰＩＤ制御を行なって、所定の照射強度となるようにＰＷＭ信号の矩形波を送る。これにより、照射強度を強くしたり弱くしたりできる。図９でオンの信号幅が増え、オフの信号幅が減れば、照射強度が増える。
【００３３】
図１０は、超音波振動子２１と駆動回路を示す図である。オンオフ信号により、超音波振動子２１を振動させる。超音波振動子２１の振動は、高エネルギーなので、キャビテーション（気泡の発生と消滅）が起こる場合がある。脆くなった血管などへの影響を避けるために、指示書に記載された２ｋ〜２００ｋＨｚの振動数の間で選択すると共に、指示書に記載された時間を選択する。一般に可聴域は２０〜２０ｋＨｚ、超音波は２０ｋＨｚ以上とされるが、超音波振動子２１での低い振動数（２ｋ〜２０ｋＨｚ）も可能にしている。これは医師等の専門家でなくても扱える機器とするためである。超音波振動子は、共振周波数で使用し可変ではないので、例えば、４種類の異なる振動数の超音波振動子をプローブ２に実装しておく。その４種類のどの超音波振動子を使用するのかを選択させる。また、振動数となるようにＰＩＤ制御を行なってＰＷＭ信号の矩形波を送る。
【００３４】
超音波振動子に関し、取扱説明書には、使用する身体部位に適した振動数と使用時間を記載し、安全に使用できるようにする。例えば、２０ｋＨｚ〜１００ｋＨｚは、疼痛惹起や歯面損傷を起こすおそれもあるので、神経細胞が外皮から近い首筋や、口腔に近い顔面で使用する場合には、この振動数が除かれている。
【００３５】
図１１は、超音波振動子２１のプローブ２への実装を示す図である。図１１（Ａ）、（Ｂ）に示すように、複数の超音波振動子２１をプローブ２のキャップ１０の周囲に配置し、指向性を持たせた。一般に、指向性を持たせるためには、超音波振動子をアレイ状に多数を配置し、可聴音を用いて超音波を変調し、直線的に遠くまで可聴音を届けるパラメトリックスピーカが知られる。本実施例では音を発する必要はないので、可聴音による超音波の変調は行なっていない。なお、超音波振動子２１は選択される振動数から例えば４種類が実装される。全部で１６個の超音波振動子を実装されるなら、どれか４個が駆動されることになる。
【００３６】
上記の実施例は、振動モータ８に加えて超音波振動子２１を設ける構成であるが、振動モータ８に換えて超音波振動子２１を設ける構成にしてもよい。この場合でも、経皮薬液浸潤、血流促進、細胞活性を達成出来るが、モータによる振動がある場合に比べて、血流促進効果が低くなる。
【産業上の利用可能性】
【００３７】
本考案の経皮薬液浸潤、血流促進、及び細胞活性装置は、皮膚に近赤外光を照射すると共に振動を加えるので、化粧品やビタミンの液を良好に浸潤でき、美容・健康装置として好適である。また、血行促進や消炎鎮痛が期待できるので、医療用補助装置としても使用することができる。
【符号の説明】
【００３８】
１    本体部
２    プローブ
３    ＡＣアダプタ
４    操作部
４ａ    モード選択ボタン
４ｂ    スタート／ストップスイッチ
４ｃ    強度アップボタン
４ｄ    強度ダウンボタン
４ｅ    タイマーアップボタン
４ｆ    タイマーダウンボタン
５    制御部
６    表示部
７    アダプタ部
８    振動モータ
９    インターフェースコード
１０    キャップ
１１    スタートストップスイッチ
１２    光源
１２ａ    近赤外光の光源
１２ｂ    赤色可視光の光源
１３    電源投入スイッチ
１４    制御ボックス
１５    コネクタ
１６    振動モータ駆動回路
１７    近赤外光駆動回路
１８    赤色可視光駆動回路
１９    プローブ側のスタートストップスイッチ受信回路
２０    超音波振動子駆動回路
２１    超音波振動子
２２    光ファイバー
２３    水
２４    ヘモグロビン
１００    経皮薬液浸潤、血流促進、及び細胞活性装置
ｍ１〜ｍ４    モード
【図１】
0003229657.tif 000003
【図２】
0003229657.tif 000004
【図３】
0003229657.tif 000005
【図４】
0003229657.tif 000006
【図５】
0003229657.tif 000007
【図６】
0003229657.tif 000008
【図７】
0003229657.tif 000009
【図８】
0003229657.tif 000010
【図９】
0003229657.tif 000011
【図１０】
0003229657.tif 000012
【図１１】
0003229657.tif 000013
【図１２】
0003229657.tif 000014